(57)【要約】【課題】水泳、潜水用呼吸管の水の侵入防止装置を提供する。【解決手段】前記呼吸管末端に設置された主体１０と、閉合素子４０と、フロート３０と、可動棒２０と、保護蓋５０、とからなる。主体は、そのチャネルが呼吸管から延伸して末端に開口１２を有し、閉合素子によって、開口を封閉して水の侵入を防止する。閉合素子及びフロートは、フック３２、４２によって可動棒２０の丸棒２３に回動可能に掛止され、可動棒は突軸１３に回動可能に取り付けられてフロートが浮力により上昇するとそれに伴って閉合素子共に上昇し、一定上昇位置まで上昇するとフロートのストッパー３３によって掛止されている閉合素子の係合板が外れて、閉合素子がチャネル開口に向けて回動可能となり、該開口を閉塞する。保護蓋は、突軸１４にと孔５１の嵌合によって主体に結合され、その内部に閉合素子、フロートを保護する。【選択図】  図１
0003107042.tif 000002
【実用新案登録請求の範囲】
【請求項１】
水泳、潜水用呼吸管の末端に設置された、主体、閉合素子、フロート、可動棒、及び保護蓋と、からなり、
前記主体は、呼吸用チャネルが呼吸管から延伸して、そのチャネル末端の開口が形成される共にその開口に対して封閉する閉合素子が設置され、
前記可動棒は、前記主体両側に回動可能に軸支されて、さらにこれに対して前記フロートと前記閉合素子が掛付され、
前記フロートの浮力により、可動棒が回動して上昇すると共に前記閉合素子が上昇して前記チャネル開口位置に到ると共に該開口を閉塞し、
前記保護蓋は、前記主体に結合されて、前記閉合素子と前記フロートを覆って保護すると共にその動作可能としてなる、
ことを特徴とする水泳、潜水用呼吸管の水の侵入防止装置。
【請求項２】
前記閉合素子は、掛設構造により、前記可動棒上に設置されることを特徴とする請求項１に記載の水泳、潜水用呼吸管の水の侵入防止装置。
【請求項３】
前記閉合素子は、係合板を有することを特徴とする請求項１に記載の水泳、潜水用呼吸管の水の侵入防止装置。
【請求項４】
前記フロートは、比重が水より小さいことを特徴とする請求項１に記載の水泳、潜水用呼吸管の水の侵入防止装置。
【請求項５】
前記フロートは、掛設構造により、前記可動棒上に設置されることを特徴とする請求項１に記載の水泳、潜水用呼吸管の水の侵入防止装置。
【請求項６】
前記フロートは、上記係合板に対応するストッパーを有することを特徴とする請求項１に記載の水泳、潜水用呼吸管の水の侵入防止装置。
【請求項７】
前記保護蓋は、少なくとも一つのスリットを有することを特徴とする請求項１に記載の水泳、潜水用呼吸管の水の侵入防止装置。
【請求項８】
前記閉合素子は、前記可動棒上に設置されることを特徴とする請求項１に記載の水泳、潜水用呼吸管の水の侵入防止装置。
【考案の詳細な説明】
【技術分野】
【０００１】
本考案は、水泳、潜水用の呼吸管末端に設置する装置に関するものであって、特に、水が呼吸管の管体内に進入するのを防止する装置に関するものである。
【背景技術】
【０００２】
呼吸管の水の侵入防止装置は、水が呼吸管の上方から呼吸管内に進入するのを防止し、また、空気が円滑に、進入、及び排出されるようにするため以外に、水が呼吸管内に進入しないようにして、使用者が、円滑に空気を吐き出せるようにするものである。
【０００３】
呼吸管を、水泳や潜水で使用する時、水の湧升、噴出し、或いは使用者の頭部の揺動、振動、下潜などにより、水が呼吸管内に進入するので、通常、一つのマスクを呼吸管上開口に設置して、防水用としている。しかし、マスクは設計の不備により、吸気等で、空気の進出口の不当な閉合の誤作動が生じる可能性がある。
【０００４】
従来の呼吸管のマスク（或いは、水の侵入防止装置）は非常に多いが、理想的なマスクは以下のような条件を具備していなければならない。
１．水が呼吸管に進入するのを防止し、空気の進出が可能である基本要求に符合して    いる。
２．体積が過大すぎず、潜水や水泳での使用中に、抵抗が大きくならないようにする    。
３．使用者は吸気、吐気の動作時に、誤作動を生じない。例えば、吸気時、空気が管    径に進入し、その吸力が一般の閉合装置に、不要な開閉をさせる等。
４．生産、組み立てが容易で、コストが低い。
【０００５】
しかし、現有の製品、或いは、特許出願発明において、上述の要求を満たすものは非常に困難である。
【特許文献１】特開平９−３０４９２号公報
【考案の開示】
【考案が解決しようとする課題】
【０００６】
本考案は、水泳用の呼吸管の水の侵入防止装置を提供し、上述の問題を解決することを目的とする。
【課題を解決するための手段】
【０００７】
上述の問題を達成するため、本考案の水泳用呼吸管の水の侵入防止装置は、呼吸管の末端に設置され、主体と、閉合素子と、フロートと、可動棒と、保護蓋と、からなる。
主体は、そのチャネルが呼吸管から延伸し、チャネル末端の開口上に閉合素子が設置されている。閉合素子は、開口の構造を封閉するのに用いられ、フロートと可動棒が、その閉合開口の動作を制御する。可動棒は、主体上に設置され、フロートと閉合素子の結合を提供する。保護蓋は、主体に結合され、閉合素子とフロートがその中で可動できるようになっている。フロートは、比重が水より小さい素子である。
【０００８】
本考案の呼吸管の水の侵入防止装置は、呼吸管体の端末に設置され、水が上方から噴き出たり、下方から溢れたりして、空気の進出口から呼吸管内に進入するのを効果的に防止する。
【０００９】
本考案の装置は、呼吸管の上方末端（即ち、前述の末端）に、主体を有し、呼吸管の末端開口を上向きに延伸させ、可動の閉合素子を、開口の下側に設ける。閉合素子の下方にフロートを設置する。フロートと閉合素子は、共に、可動棒に設置され、フロートと閉合素子は、精確な路径運動をする。保護蓋は、本体開口方向の側面に設置され、フロートと閉合素子を、保護蓋内に配置させる。
【００１０】
フロートは、水位の昇降により昇降し、水位が上昇した時、フロートは、可動棒が設定する方向に移動すると共に、閉合素子を提起させ、閉合素子で本体開口を封閉し、水が開口内に進入しないようにする。水位が下降する時、フロートは、それ自体の重さにより自然に、水位と共に下降し、可動棒は閉合素子の閉合位置を移動させて、閉合素子が抵触しないようにし、開口を封閉しない状態を形成する。
【００１１】
保護蓋は、本体上で、上方が封閉を呈する（噴出す水が開口に衝向しない）構造で、保護蓋の側面、底面には、ギャップを有し、水が蓋の下側に入り易く、フロートは、水位に敏感に反応して、可動棒と閉合素子を推升する動作を実行する。
【００１２】
本考案の閉合素子は、可動構造であり、上に係合板を設置し、係合板はフロートのストッパーの制限を受けて、開放と閉合の動作を確実にする。主体の開口を閉合して、閉合状態を呈する時、空気は開口を通過できない。開放状態で、空気は外側から呼吸管内に吸入される時、係合板は、フロートのストッパーの制限を受けて、吸気力が閉合素子を吸引することができず、これにより、閉合阻止は、誤作動で、吸気の動作を中断することが生じない。
【考案の効果】
【００１３】
本考案の装置は、呼吸管に、精確で効果的な閉合動作を提供し、閉合の誤動作を防止する。
【考案を実施するための最良の形態】
【００１４】
図１で示されるように、本考案の構成は、主体１０と、可動棒２０、フロート３０と、閉合素子４０と、保護蓋５０と、からなる。
【００１５】
主体１０は、呼吸管（図示しない）末端の素子に設置され、本考案の主体１０は、主構造体１１からなり、主構造体１１内に、呼吸管と連接する中空のチャネルを有し、チャネルの末端は開口１２を形成し、主構造体１１の両側に複数の凸軸１３、１４を設けて、凸軸１３は可動棒２０と、凸軸１４は保護蓋５０と結合される。
【００１６】
可動棒２０は、主構造体１１両側の凸軸１３に回動可能に設けられた、凸軸１３を回動軸心とする可動素子で、一対の同軸の軸孔２１、一対の棒体２２、及び棒体２２末端に結合された円棒２３、からなる。棒２３はフロート３０と閉合素子４０を掛架するのに用いられる。
【００１７】
フロート３０は、比重が水より小さく、本体３１、少なくとも一つのフック３２、及びストッパー３３、からなる。フック３２は、棒２３上に回動可能に掛けられ、ストッパー３３は、閉合素子４０の係合板４１に対してその移動範囲を制限する。
【００１８】
閉合素子４０は、主体１０の開口１２を蓋合・封鎖する素子で、上述の係合板４１を有する以外に、少なくとも一つのフック４２、及び開口１２を封閉するのに十分な大きさの板体４３（形状は板状に限定しない）を備え、フック４２を可動棒２０の棒２３に掛付して回転できるようになっている。
【００１９】
保護蓋５０は主体１０上に結合され、内部に空間を有し、可動棒２０、フロート３０、閉合素子４０を覆ってその内部に作動空間を提供すると共に、これらの素子が外力の衝撃を受けないよう保護している。保護蓋５０は、凸軸１４と対応する孔５１を有し、スリット５２及びギャップ５３、５４（図５を参照）を有する。
【００２０】
図２〜図４は、閉合素子４０と開口間の相互関係を示す図で、図２で示されるように、水位が低い時（フロート３０が未上昇時）、可動棒２０は下垂状態を呈し、閉合素子４０は、開口１２を封閉することなく、自由な呼吸を可能とする。図３で示されるように、フロート３０が浮力で浮起するとき、フロート３０は上に移動し、その移動過程は、可動棒２０の制御を受けて精確に運動する。この過程では閉合素子４０の係合板４１はストッパー３３に係合し、開口１２を封閉することができない。この時、吸気状態であっても、閉合素子４０の係合板４１はストッパー３３に係合しているので、閉合の誤作動を生じない。図４で示されるように、フロート３０は更に上昇するとき、閉合素子４０は重力によって、自動的に開口１２を封閉する。
【００２１】
図５は、保護蓋５０が主体１０上にある状態を示す図である。両者間に、フロート３０、閉合素子４０等を有し、スリット５２、５３、５４は、空気、水の自由な出入りを可能とする。
【００２２】
可動棒を設置して、精確、且つ、無誤作動で、閉合素子、呼吸管の開口を制約する。図６、図７は、本考案のもう一つの実施例を示す図で、本体１０'上に設置された可動棒２０'は、閉合素子４０'と結合し、フロート３０'によって押し上げられてフロート３０'の昇降により、閉合素子４０'が、精確に開口１２'を封閉する。
【図面の簡単な説明】
【００２３】
【図１】本考案の立体分解図である。
【図２】本考案の封閉動作（低水位時）を示す図である。
【図３】本考案の封閉動作（フロート上昇時）を示す図である。
【図４】本考案の封閉動作（封閉状態）を示す図である。
【図５】本考案の結合状態を示す側視図である。
【図６】本考案のもう一つの実施例（開口は封閉状態）を示す図である。
【図７】本考案のもう一つの実施例（開口は未封閉状態）を示す図である。
【符号の説明】
【００２４】
１０…主体
１１…主構造体
１２…開口
１３、１４…凸軸
２０…可動棒
２１…軸孔
２２…棒体
２３…棒
３０…フロート
３１…本体
３２、４２…フック
３３…ストッパー
４０…閉合素子
４１…係合板
４３…板体
５０…保護蓋
５１…孔
５２…スリット
５３、５４…ギャップ
【図１】
0003107042.tif 000003
【図２】
0003107042.tif 000004
【図３】
0003107042.tif 000005
【図４】
0003107042.tif 000006
【図５】
0003107042.tif 000007
【図６】
0003107042.tif 000008
【図７】
0003107042.tif 000009